(57)【要約】【課題】部品点数を削減でき、組立作業が容易なディスクドライブを提供すること。【解決手段】フレキシブル基板１５２の端子形成部１５２ａは、メインフレーム１３に形成した第１挿入孔１３ａとメインプリント基板３０に形成した第２挿入孔３０ａとに挿通した状態で前記メインプリント基板３０の背面に対向するよう曲げられており、前記端子形成部１５２ａの端子部１５２ｂを前記メインプリント基板の背面に形成した回路パターン３０ｂに接続した。【選択図】      図２
2004234731.tif 000002
【特許請求の範囲】
【請求項１】
ディスクの磁気記録媒体に対してデータの読出し／書込みを行うための磁気ヘッドを備えたキャリッジアセンブリと、該キャリッジアセンブリを主表面上に設けたメインフレームと、該メインフレームの背面に設けたメインプリント基板とを含み、前記メインフレームと前記メインプリント基板との間を接続したフレキシブル基板を備えているディスクドライブにおいて、
前記フレキシブル基板は、キャリッジアセンブリから延在している一端側に形成した端子形成部と、該端子形成部の先端部側に位置している端子部とを有し、前記メインフレームは、前記端子形成部を挿入する第１挿入孔を有し、前記メインプリント基板は、前記端子形成部を挿入する第２挿入孔を有し、前記端子形成部は、前記第１及び第２挿入孔に挿通した状態で前記メインプリント基板の背面に対向するよう曲げられており、前記端子部が前記メインプリント基板の前記背面に形成した回路パターンに接続されていることを特徴とするディスクドライブ。
【請求項２】
前記第１挿入孔は細長い孔であり、前記第１挿入孔１３ａの少なくとも長手方向を直交する幅方向の一辺には、該一辺に対向するもう一方辺へ向かって突出している複数の突部が形成されており、前記端子形成部は、前記もう一方辺と前記突部との間で前記幅方向への移動が規制されていることを特徴とする請求項１に記載のディスクドライブ。
【請求項３】
前記第２挿入孔は、前記第１挿入孔の前記幅方向における幅寸法よりも大きい幅寸法を有していることを特徴とする請求項１又は２に記載のディスクドライブ。
【請求項４】
前記端子部（１５２ｂ）と前記回路パターンとが半田によって半田接続されていることを特徴とする請求項１乃至３のいずれかに記載のディスクドライブ。
【発明の詳細な説明】
【０００１】
【発明の属する技術分野】
本発明は、ディスクドライブに関し、特に、固定のモータフレームの主面上にプリント配線基板が載置された構造のディスクドライブに関する。
【０００２】
【従来の技術】
従来のディスクドライブでは、記録ヘッドの信号伝達を行うフレキシブル基板の取付構造がある。図５は、従来のディスクドライブにおけるフレキシブル基板の取付構造を示している。
【０００３】
図５を参照して、ディスクドライブは、図示しない記録ヘッドにＦＰＣ５１６，５１７の一端が接続されている。ＦＰＣ５１６，５１７の他端側は、ＦＰＣホルダ５１８，５１８に取り付けられた状態で、プリント基板５０３の取付孔５０３ａ，５０３ｂに取り付けられている。
【０００４】
シャーシ５０５のガイド孔５０５ａ，５０５ｂの内面の一部には、支持突部５０５ｃ，５０５ｅが設けられている。ＦＰＣ５１６，５１７の端子形成部５１６ｂ，５１７ｂは、ＦＰＣホルダ５１８，５１８に取り付けられ、ＦＰＣホルダ５１８，５１８をガイド孔５０５ａ，５０５ｂに挿入して、シャーシ５０５でＦＰＣホルダ５１８を支持すると共に、端子形成部５１６ｂ，５１７ｂの端子部５１６ａ，５１７ａとプリント基板５０３の回路パターン（図示せず）とが導通するようにしている。（例えば、特許文献１参照）。
【０００５】
【特許文献１】
特開２０００−２３２２８３号公報（第３−４頁、図３）
【０００６】
【発明が解決しようとする課題】
しかしながら、ＦＰＣ５１６，５１７は、ＦＰＣホルダ５１８，５１８に取り付けられた状態で、プリント基板５０３の取付孔５０３ａ，５０３ｂに取り付けられ、ＦＰＣ５１６，５１７の端子形成部５１６ｂ，５１７ｂがＦＰＣホルダ５１８，５１８に取り付けられ、ＦＰＣホルダ５１８，５１８をガイド孔５０５ａ，５０５ｂに挿入して、シャーシ５０５でＦＰＣホルダ５１８を支持する構成であるため、ＦＰＣホルダ５１８，５１８やＦＰＣホルダ５１８，５１８に対応するガイド孔５０５ａ，５０５ｂ、および支持突部５０５ｃ，５０５ｅを設ける必要があるので、部品点数が増大しかつ組立作業が複雑になってしまうという問題がる。
【０００７】
それ故に本発明の課題は、部品点数を削減でき、組立作業が容易なディスクドライブを提供することにある。
【０００８】
【課題を解決するための手段】
本発明によれば、ディスクの磁気記録媒体に対してデータの読出し／書込みを行うための磁気ヘッド（１４）を備えたキャリッジアセンブリ（１５）と、該キャリッジアセンブリ（１５）を主表面上に設けたメインフレーム（１３）と、該メインフレーム（１３）の背面に設けたメインプリント基板（３０）とを含み、前記メインフレーム（１３）と前記メインプリント基板（３０）との間を接続したフレキシブル基板（１５２）を備えているディスクドライブにおいて、前記フレキシブル基板（１５２）は、キャリッジアセンブリ（１５）から延在している一端側に形成した端子形成部（１５２ａ）と、該端子形成部（１５２ａ）の先端部側に位置している端子部（１５２ｂ）とを有し、前記メインフレーム（１３）は、前記端子形成部（１５２ａ）を挿入する第１挿入孔（１３ａ）を有し、前記メインプリント基板（３０）は、前記端子形成部（１５２ａ）を挿入する第２挿入孔（３０ａ）を有し、前記端子形成部（１５２ａ）は、前記第１及び第２挿入孔（１３ａ，３０ａ）に挿通した状態で前記メインプリント基板（３０）の背面に対向するよう曲げられており、前記端子部（１５２ｂ）が前記メインプリント基板（３０）の前記背面に形成した回路パターン（３０ｂ）に接続されていることを特徴とするディスクドライブが得られる。
【０００９】
また、前記第１挿入孔（１３ａ）は細長い孔であり、前記第１挿入孔１３ａの少なくとも長手方向を直交する幅方向の一辺には、該一辺に対向するもう一方辺へ向かって突出している複数の突部（１３ｂ）を形成して、前記端子形成部（１５２ａ）が前記もう一方辺と前記突部（１３ｂ）との間で前記幅方向への移動が規制されてるようにしても良い。
【００１０】
また、前記第２挿入孔（３０ａ）は、前記第１挿入孔（１３ａ）の前記幅方向における幅寸法よりも大きい幅寸法をもとようにしても良い。
【００１１】
さらに、前記端子部（１５２ｂ）と前記回路パターン（３０ｂ）とを半田（３９０）によって半田接続しても良い。
【００１２】
尚、上記括弧内の符号は、本発明の理解を容易にするために付したものであり、一例にすぎず、これらに限定されないのは勿論である。
【００１３】
【発明の実施の形態】
以下に、本発明に係るディスクドライブの一実施の形態例を説明する。図１及び図２は、ディスクドライブの一実施の形態例を示している。図１は、組み立てられたディスクドライブを示している。
【００１４】
図１及び図２を参照して、ディスクドライブは、３．５インチ型フレキシブルディスク（図示せず）のようなディスクを駆動するための装置である。フレキシブルディスクは、図１及び図１の矢印Ａに示す方向からディスクドライブ中に挿入される。挿入されたディスクは、その中心軸がディスクテーブル１１の回転軸１１ａと一致した状態で、ディスクテーブル１１上に保持される。
【００１５】
ディスクテーブル１１はメインフレーム１３の主表面上で回転自在に支持されている。従って、ディスクテーブル１１の回転軸１１ａの軸方向Ｂは、メインフレーム１３の厚み方向と平行である。ディスクテーブル１１は、メインフレーム１３の主表面とは反対側の背面に設けられたスピンドルモータ（ＤＤモータ）３００によって回転駆動され、これによってフレキシブルディスクの磁気記録媒体が回転する。また、メインフレーム１３の背面には、多数の電子部品が搭載されたメインプリント基板３０が取り付けられている。
【００１６】
また、このディスクドライブは、フレキシブルディスクの磁気記録媒体に対してデータの読出し／書込みを行うための上下一対の磁気ヘッド１４（上側磁気ヘッドのみを図示する）を備えている。
【００１７】
磁気ヘッド１４は、ディスクドライブの背面側に設けられたキャリッジアセンブリ１５にその先端で支持されている。すなわち、キャリッジアセンブリ１５は、上側磁気ヘッド１４を支持する上側キャリッジ１５Ｕと下側磁気ヘッドを支持する下側キャリッジ１５Ｌとを有する。キャリッジアセンブリ１５は、メインフレーム１３の主表面上でメインフレーム１３から離隔して配置されており、磁気ヘッド１４をその先端でディスクに対して所定の半径方向（図１及び図２の矢印Ｃで示す方向）に沿って移動可能に支持している。
【００１８】
また、メインフレーム１３の背面側の側壁１３１には、ステッピングモータ１６が固定されている。ステッピングモータ１６はキャリッジアセンブリ１５を所定の半径方向Ｃに沿ってリニアに駆動する。詳細に説明すると、ステッピングモータ１６は所定の半径方向Ｃと平行に延在する回転軸（駆動軸）１６１を有し、この回転軸１６１には雄ネジが切られている。この回転軸１６１の先端１６１ａは、メインフレーム１３の主表面から切り起こしにより立設された曲げ部１３２に空けられた穴１３２ａを貫通し、スチールボール１６２が設けられる。この穴１３２ａとスチールボール１６２とによって、回転軸１６１は所定の半径方向Ｃと平行に延在するように規制され、かつその先端１６１ａは回転可能に保持される。
【００１９】
一方、キャリッジアアセンブリ１５は、下側キャリッジ１５Ｌから回転軸１６１まで延在したアーム１５１を有し、このアーム１５１の先端１５１ａは回転軸１６１の雄ネジの谷の部分に係合する。従って、ステッピングモータ１６の回転軸１６１が回転すると、このアーム１５１の先端１５１ａが回転軸１６１の雄ネジの谷の部分に沿って動かされ、これによってキャリッジアセンブリ１５自体が所定の半径方向Ｃに沿って移動する。とにかく、ステッピングモータ１６はキャリッジアセンブリ１５を所定の半径方向Ｃに沿ってリニアに移動させるための駆動手段として働く。
【００２０】
ステッピングモータ１６の回転軸１６１がキャリッジアセンブリ１５の一方の側に設けられているので、キャリッジアセンブリ１５の一方の側はこの回転軸１６１によってフレーム１３から離隔した状態で、移動可能に支持される。しかしながら、この回転軸１６１による支持だけでは、キャリッジアセンブリ１５全体をメインフレ−ム１３の主表面から離隔した配置することはできない。そのため、ガイドバー１７によって、キャリッジアセンブリ１５の他方の側でキャリッジアセンブリ１５を支持しながら案内する。ガイドバー１７はキャリッジアセンブリ１５を間に挟んで、ステッピングモータ１６の回転軸１６１とは逆側に設けられている。ガイドバー１７は所定の半径方向Ｃに対して平行に延在し、メインフレーム１３の主表面上で一端１７１および他端１７２が後述するように固定され、キャリッジアセンブリ１５を所定の半径方向Ｃに沿って案内する。これによって、キャリッジアセンブリ１５全体がメインフレーム１３の主表面から離隔して配置される。
【００２１】
キャリッジアセンブリ１５には、図３にも示すように、フレキシブル基板としてのフレキシブル・プリンテッド・サーキット（以下、ＦＰＣと呼ぶ）１５２の一端が接続されている。ＦＰＣ１５２は、キャリッジアセンブリ１５からガイドバー１７側へ延在しており、図４に示すように、メインフレーム１３の背面に取り付けられたメインプリント基板３０に電気的に接続されている。
【００２２】
ＦＰＣ１５２は、一端側に形成されている端子形成部１５２ａと、端子形成部１５２ａの先端部側に位置している端子部１５２ｂとを有している。メインフレーム１３は、端子形成部１５２ａを挿入する第１挿入孔１３ａを有している。メインプリント基板３０は、端子形成部１５２ａを挿入する第２挿入孔３０ａを有している。
【００２３】
端子形成部１５２ａは、この端子形成部１５２ａを第１及び第２挿入孔１３ａ，３０ａに挿通した状態でメインプリント基板３０の背面に対向するよう曲げられている。ここで、メインプリント基板３０の背面とは、メインフレーム１３の背面に対向している面とは反対側となる面である。端子部１５２ｂは、前記メインプリント基板３０の背面に設けられている回路パターン３０ｂに半田３９０によって半田接続されている。
【００２４】
第１挿入孔１３ａは細長い孔である。第１挿入孔１３ａの少なくとも長手方向を直交する幅方向の一辺には、この一辺に対向するもう一方辺へ向かって突出している複数の突部１３ｂが形成されている。
【００２５】
端子形成部１５２ａは、もう一方辺と突部１３ｂとの間で幅方向への移動が規制されている。また、端子形成部１５２ａは、第１挿入孔１３ａ内で長手方向への移動が規制されている。なお、第２挿入孔３０ａは、第１挿入孔１３ａの幅方向における幅寸法よりも大きい幅寸法を有していても良い。
【００２６】
さらに、ディスクドライブの構成を述べると、ガイドバー１７はメインフレーム１３の主表面でガイドバークランプ１８によって挟持されている。ガイドバークランプ１８は、ガイドバークランプ１８の中央部でメインフレーム１３の主表面にバインド子ネジ１９によって固定されている。詳細に説明すると、ガイドバークランプ１８はガイドバー１７より少しだけ長い矩形固定部材１８０を有している。矩形固定部材１８０のほぼ中央には、バインド子ネジ１９のネジ軸１９０が通過できる程度の穴１８０ａが穿設されている。矩形固定部材１８０の一端１８０ｂおよび他端１８０ｃからは、それぞれ、ガイドバー１７の一端１７１および他端１７２を挟持するための一対のアーム１８１および１８２が延在している。
【００２７】
ガイドバークランプ１８は、単にガイドバー１７を挟持しているだけなので、これだけではガイドバー１７をメインフレーム１３の主表面に固定することはできない。このために、ガイドバー１７の両端１７１，１７２の位置を規制するための一対の位置決め部材が必要である。この一対の位置決め部材としては、メインフレーム１３の一部をメインフレーム１３の主表面側に切り起こして形成した一対の曲げ部２０１，２０２を使用している。
【００２８】
キャリッジアセンブリ１５の下側キャリッジ１５Ｌは、キャリッジアセンブリ１５をガイドバー１７に沿って摺動可能に支持する支持枠としても働く。下側キャリッジ１５Ｌはガイドバー１７側へ突出した突出部（図示せず）を有し、この突出部中にガイドバー１７が摺動可能に嵌入されている。
【００２９】
ディスクドライブは、イジェクトプレート２１とディスクホルダ２２とを更に有する。メインフレーム１３、イジェクトプレート２１、及びディスクホルダ２２は、金属板に打抜き加工、プレス加工、曲げ加工等を施すことにより形成される。
【００３０】
イジェクトプレート２１は、ディスクの挿入方向Ａおよびその逆方向に沿ってスライド自在なように、メインフレーム１３上に備えられている。イジェクトプレート２１は、後述するように、ディスクドライブの作動時に、ディスクホルダ２２と協働してディスクを保持する。また、イジェクトプレート２１は、フレキシブルディスクを挿入方向Ａに沿ってディスクドライブ内に挿入することを可能とし、或いはディスクを挿入方向Ａと逆方向に沿ってディスクドライブ内からの取り出すことを可能とするために、挿入方向Ａに沿ってディスクが摺動自在なようにディスクを保持する。
【００３１】
イジェクトプレート２１には、互いに対向する一対の側壁２１０が形成されている。この両側壁２１０の各々には、一対のカム部２１１が形成されている。また、イジェクトプレート２１の底面には、両側壁２１０に沿って切抜き部２１２が形成され、イジェクトプレート２１の底面中央部には、ディスクテーブル１１を取り囲むように略Ｕ字状の切欠き部２１３が形成されている。更に、イジェクトプレート２１の下面には、ピンが設けられており、このピンは、後述するイジェクトレバーの係止部と係合する。
【００３２】
ディスクホルダ２２は、イジェクトプレート２１上に配置されている。ディスクホルダ２２には、主表面２２０と、この主表面２２０の両側端で互いに対向した一対の側壁２２１が形成されている。この両側壁２２１には、それぞれ突片２２２（一方のみ図示）が形成されている。これらの突片２２２は、イジェクトプレート２１の切抜き部２１２を通じてメインフレーム１３の穴１３３内に挿通される。この突片２２２がメインフレーム１３の穴１３３内に挿通されることにより、ディスクホルダ２２は、メインフレーム１３に対する挿入方向Ａの位置が決められるのと同時に、ディスクホルダ２２は、ディスクテーブル１１の回転軸１１ａの軸方向Ｂに沿って往復動自在となる。また、両側壁２２１の各々には、一対のピン２２３が設けられている。このピン２２３は、イジェクトプレート２１の側壁２１０に形成されたカム部２１１内に挿通される。ディスクホルダ２２とイジェクトプレート２１との間には、イジェクトバネ２３が架設されている。
【００３３】
また、ディスクホルダ２２は、その挿入方向Ａの奥側中央部の、キャリッジアンセンブリ１５の上側キャリッッジ１５Ｕと対応する位置に、所定の半径方向Ｃに延在した略矩形状の開口部２２４が設けられている。この開口部２２４を囲むように、その周囲にディスクホルダ２２の主表面２２０から上方に盛り上がった、略Ｕ字形状の盛り上がり縁２２５が形成されている。一方、キャリッジアンセンブリ１５は、側方に延びる一対の側方アーム１５３を備え、この側方アーム１５３は盛り上がり縁２２５の上に位置する。後述するように、ディスクがディスクホルダ２２からイジェクトされた状態では、この側方アーム１５３が盛り上がり縁２２５と係合し、これによって上下一対の磁気ヘッド１４同士が互いに離される。さらに、ディスクホルダ２２は、その挿入方向Ａの奥側で開口部２２４から右よりに、イジェクトレバー２１のレバー部の回動を許すような形状の開口部２２６も有している。
【００３４】
メインフレーム１３上には、キャリッジアセンブリ１５の近傍に、イジェクトレバー２４が回動自在に設けられている。詳細に述べると、メインフレーム１３には、その主表面から上方に延びるロッド状ピン１３４が立設している。イジェクトレバー２４は、ロッド状ピン１３４が嵌め込まれる筒状部２４０と、この筒状部２４０から径方向に延在するアーム部（レバー部）２４１と、このアーム部２４１の自由端に設けた上方に延在する突起部２４２と、アーム部２４１の自由端側から周方向に延びる円弧状の係止部２４３とを有している。イジェクトレバー２４には、筒状部２４０の周りにイジェクトレバーバネ２５が装着され、このイジェクトレバーバネ２５は、イジェクトレバー２４を図面上、反時計回りに（矢印Ｅと逆方向に）付勢している。イジェクトレバー２４の突起部２４２は上記ディスクホルダ２２の開口部２２６に遊嵌されている。また、この突起部２４２は、ディスクのシャッタに所定位置で係合し、そのシャッタの開閉を制御する。
【００３５】
なお、図１に示されるように、ロッド状ピン１３４（図２）の先端にはネジ２６が捩じ込まれており、これによってイジェクトレバー２４がロッド状ピン１３４から抜けるのを防止している。
【００３６】
また、メインフレーム１３の前端部には、フロントパネル２７が取り付けられている。フロントパネル２７は、ディスクを出し入れする開口２７１と、この開口２７１を開閉する扉２７２とを備えている。このフロントパネル２７には、イジェクトボタン２８が前後方向移動可能に突設されている。イジェクトボタン２８は、イジェクトプレート２１の前端で前方に突き出ている突起部２１４に嵌め込まれている。
【００３７】
次に、ディスクドライブに使用されるＤＤモータ（スピンドルモータ）３００について説明する。
【００３８】
図示のＤＤモータ３００は、ロータ３１０と、このロータ３１０に組み合わされるステータ３２０とから成る。ロータ３１０の上面には、ディスクテーブル１１が固着されている。メインフレーム１３には、ロータ３１０の上部のみを主面側に突出させることのできる円形開口１３５が設けられている。その結果、ディスクテーブル１１はメインフレーム１３の主表面側に突出する。
【００３９】
ディスクテーブル１１には、金属製の回転軸１１ａが一体的に固着されている。ステータ３２０は、モータフレーム４００によりメインフレーム１３の背面側に取り付けられる。すなわち、ステータ３２０は、金属製のモータフレーム４００の主面に実装されたプリント配線基板５００上に構成される。こうしてモータフレーム４００にプリント配線基板５００を固定した後、メインフレーム１３にモータフレーム４００を固定している。
【００４０】
【発明の効果】
以上、実施の形態例によって説明したように、本発明に係るディスクドライブによれば、フレキシブル基板の端子形成部をメインフレームに形成した第１挿入孔とメインプリント基板に形成した第２挿入孔とに挿通した状態でメインプリント基板の背面に対向するよう曲げられており、端子部をメインプリント基板の背面に形成した回路パターンに接続するようにしたので、部品点数を削減でき、組立作業が容易なディスクドライブを提供することができる。
【図面の簡単な説明】
【図１】本発明の実施の形態に係るディスクドライブを示す斜視図である。
【図２】図１に示したディスクドライブの分解して示した斜視図である。
【図３】図２に示したディスクドライブにおいて、メインフレームとフレキシブル基板とを一部で拡大して示した斜視図である。
【図４】図１に示したディスクドライブにおいて、フレキシブル基板を接続したプリント回路基板とメインフレームとの一部を拡大して示した断面図である。
【図５】従来のディスクドライブにおけるフレキシブル基板の取付構造を示した斜視図である。
【符号の説明】
１３    メインフレーム
１３ａ    第１挿入孔
１３ｂ    突部
１４    磁気ヘッド
１５    キャリッジアセンブリ
３０    メインプリント基板
３０ａ    第２挿入孔
３０ｂ    回路パターン
１５２    フレキシブル基板
１５２ａ    端子形成部
１５２ｂ    端子部
３９０    半田
【図１】
2004234731.tif 000003
【図２】
2004234731.tif 000004
【図３】
2004234731.tif 000005
【図４】
2004234731.tif 000006
【図５】
2004234731.tif 000007